(57)【要約】【課題】ユーザー毎に異なる表示を可能とする機器管理端末を提供する。【解決手段】設置場所に設置されている画像形成装置５を撮像する撮像制御部２５と、撮像している画像形成装置５を特定するための特定情報をＡＲサーバー７から取得する特定情報取得部２７と、特定情報に基づいて撮像している画像形成装置５から第２サーバー９でのユーザー認証に基づく装置情報としてステータス情報及びユーザーに許された機能情報を取得する装置情報取得部２９と、ステータス情報やユーザーに許された機能情報を撮像している画像形成装置５と共に操作表示部１７の画面上に表示する操作制御部３１とを備えている。【選択図】図２
2015014912.tif 000002
【特許請求の範囲】
【請求項１】
設置場所に設置されている電子機器を撮像する撮像部と、
前記撮像している電子機器を特定するための特定情報を第１サーバーから取得する特定情報取得部と、
前記特定情報に基づいて前記撮像している電子機器から第２サーバーでのユーザー認証に基づく前記電子機器のユーザーに許された装置情報を取得する装置情報取得部と、
前記装置情報を、前記撮像している電子機器と共に画面上に表示する操作表示部と、
を備えることを特徴とする機器管理端末。
【請求項２】
請求項１記載の機器管理端末であって、
前記装置情報取得部は、前記第２サーバーでのユーザー認証に基づくユーザーに利用が許された電子機器に関して前記装置情報を取得する、
ことを特徴とする機器管理端末。
【請求項３】
前記装置情報は、前記電子機器のステータス情報と機能情報との少なくとも一方である、
ことを特徴とする機器管理端末。
【請求項４】
請求項１から３の何れか一項に記載の機器管理端末であって、
前記特定情報取得部は、前記機器管理端末の位置情報と方向情報とを前記第１サーバーに送信し、前記位置情報と前記方向情報とに対応する前記電子機器の前記特定情報を前記第１サーバーから取得する、
ことを特徴とする機器管理端末。
【請求項５】
請求項１から４の何れか一項に記載の機器管理端末を備える機器管理システムであって、
前記第１サーバーと前記電子機器と前記第２サーバーとを備える、
ことを特徴とする機器管理システム。
【請求項６】
設置場所に設置されている電子機器を撮像する撮像機能と、
前記撮像している電子機器を特定するための特定情報を第１サーバーから取得する特定情報取得機能と、
前記特定情報に基づいて前記撮像している電子機器から第２サーバーでのユーザー認証に基づく前記電子機器のユーザーに許されたステータス情報を取得すること、又は第２サーバーでのユーザー認証に基づく前記電子機器のユーザーに許された機能情報を取得することの少なくとも一方を行う認証機器情報取得機能と、
前記ステータス情報と前記機能情報との少なくとも一方を前記撮像している電子機器と共に画面上に表示する表示機能と、
をコンピューターに実現させることを特徴とする機器管理プログラム。
【発明の詳細な説明】
【技術分野】
【０００１】
本発明は、画像形成装置等の電子機器を管理する機器管理端末、機器管理システム、及び機器管理プログラムに関する。
【背景技術】
【０００２】
近年では、電子機器をＬＡＮ等のネットワークに接続して複数のユーザーに共有されることがある。このような電子機器としては、プリンター、コピー機、それらの複合機等の画像形成装置がある。
【０００３】
画像形成装置では、ユーザーからの画像形成ジョブを受け付けて用紙上に画像形成する印刷を行うが、既に他のユーザーの画像形成ジョブが受け付けられている場合には、その画像形成ジョブが終了するまで印刷が待たされることになる。
【０００４】
このため、ユーザーは、画像形成装置に対して直ちに印刷が可能であるか否か等のステータス情報の確認を望む場合がある。
【０００５】
これに対し、例えば特許文献１には、ＡＲ（Augmented Reality）を利用し、携帯端末上で撮像している画像形成装置に対してステータス情報を表示する機器管理システムが開示されている。
【０００６】
特許文献１の機器管理システムは、画像形成装置の設置位置を示す位置情報、ＩＰアドレス等の識別情報、及びステータス情報を管理するＡＲサーバーを備えている。ＡＲサーバーは、携帯端末に画像形成装置の位置情報、識別情報、及びステータス情報を送信して取得させる。
【０００７】
携帯端末では、自端末の位置情報及び方向情報と画像形成装置の位置情報及び識別情報とから撮像している画像形成装置を特定し、特定された画像形成装置についてステータス情報を表示することが可能となる。
【０００８】
これにより、ユーザーは、携帯端末上で撮像している画像形成装置のステータス情報を容易に確認することができる。
【０００９】
また、特許文献２には、携帯端末上で撮像している画像形成装置に対して操作画面を合成する機器管理システムが開示されている。
【００１０】
特許文献２の機器管理システムは、携帯端末から特定の距離範囲内、かつ、携帯端末の特定の方向に存在する処理装置を特定し、特定された処理装置を遠隔操作するための操作画面を表示部に表示させる制御部を備えている。また、携帯端末は、特定の方向を撮像する撮像部を備え、制御部は、撮像部が撮像した映像に操作画面を合成する。
【００１１】
しかし、特許文献１、２の機器管理システムでは、全てのユーザーが全てのステータス等の情報を見たり遠隔操作等による機能の利用が可能であった。
【００１２】
このため、特定のユーザーにとって不必要な情報や、特定のユーザーにのみ見せても良い情報（利用可能な機能）であっても、全て表示されることになる。従って、不必要な情報が表示されたユーザーに違和感を与え、或いは、特定の情報が見せてはいけないユーザーに見られ（利用され）てしまう問題があった。
【００１３】
例えば、部署毎にＭＦＰが設置され、ステータスやコピー部数等の利用状況等の情報を部署内のユーザーにのみ見せ、或いは、特定のユーザーにのみカラープリントが許可され、その他のユーザーにはモノクロプリントのみが許可されている、といったユーザー毎に異なる表示ができないという問題があった。
【先行技術文献】
【特許文献】
【００１４】
【特許文献１】特開２０１２−０２９１６４号公報
【特許文献２】特開２０１２−９００７７号公報
【発明の概要】
【発明が解決しようとする課題】
【００１５】
本発明が解決しようとする問題点は、ユーザー毎に異なる表示ができなかった点である。
【課題を解決するための手段】
【００１６】
本発明は、ユーザー毎に異なる表示を可能とするために、設置場所に設置されている電子機器を撮像する撮像部と、前記撮像している電子機器を特定するための特定情報を第１サーバーから取得する特定情報取得部と、前記特定情報に基づいて前記撮像している電子機器から第２サーバーでのユーザー認証に基づく前記電子機器のユーザーに許された装置情報を取得する装置情報取得部と、前記装置情報を、前記撮像している電子機器と共に画面上に表示する操作表示部とを備えることを機器管理端末の最も主な特徴とする。
【発明の効果】
【００１７】
本発明の機器管理端末によれば、ユーザー認証に基づくユーザーに許された電子機器の装置情報を、ユーザー毎に異なる情報として表示させることができ、全てのユーザーが全ての装置情報を見るという問題点を改善できる。
【図面の簡単な説明】
【００１８】
【図１】機器管理システムの概念図である。（実施例１）
【図２】機器管理システムのブロック図である。（実施例１）
【図３】機器管理システムによるログイン処理を示すフローチャートである。（実施例１）
【図４】機器管理システムによる機器管理処理を示すフローチャートである。（実施例１）
【図５】機器管理システムの携帯端末上での画面例である。（実施例１）
【図６】機器管理システムの概念図である。（実施例２）
【発明を実施するための形態】
【００１９】
ユーザー毎に異なる表示を可能とするという目的を、撮像している電子機器を特定するための特定情報に基づいて撮像している電子機器から第２サーバーでのユーザー認証に基づく電子機器のユーザーに許された装置情報を取得し、装置情報を、撮像している電子機器と共に画面上に表示することで実現した。
【実施例１】
【００２０】
［機器管理システムの構成］
図１は、機器管理システムの概念図、図２は、機器管理システムのブロック図である。
【００２１】
機器管理システム１は、図１及び図２のように、機器管理端末である携帯端末３と、電子機器である画像形成装置５と、第1サーバーであるＡＲサーバー７と、第２サーバーである認証サーバー９と、無線ルーター１１とを備え、携帯端末３が無線ＬＡＮのネットワークを介してＡＲサーバー７、画像形成装置５、及び認証サーバー９と通信可能に接続される。
【００２２】
携帯端末３は、例えば多機能携帯電話等の携帯型情報処理端末であり、通信部１３、撮像機構１５、操作表示部１７、位置方向検出部１９、制御部２１、記憶部２３を備えている。
【００２３】
通信部１３は、ＡＲサーバー７との間で、通信によるデータの送受信を行うインターフェイスである。携帯端末３による各種情報の送受信は、通信部１３を介して行われる。
【００２４】
撮像機構１５は、例えばＣＣＤ（Charge Coupled Devices）カメラやＣＭＯＳ（Complementary Metal Oxide Semiconductor）カメラ等で構成され、設置場所に設置されている画像形成装置５を撮像可能とする。
【００２５】
操作表示部１７は、例えばタッチパネル式の画面等を備え、携帯端末３に対する操作入力の受け付けや操作状況を表示する。本実施例の操作表示部１７は、撮像機構１５で撮像している画像形成装置５を、装置情報であるステータス情報と共に表示する。詳細については後述する。
【００２６】
位置方向検出部１９は、携帯端末３の位置（座標）及び方向を検出する。携帯端末３の座標は、ＧＰＳ（Global Positioning System）等を利用して検出することができ、方向は、ジャイロセンサー及び加速度センサーを組み合わせた自立測位技術等を利用して検出することができる。
【００２７】
制御部２１は、プログラムを実行して上記各部を制御するＣＰＵ（Central Processing Unit）等の演算装置を有する。
【００２８】
記憶部２３は、各種のプログラムを記憶するＲＯＭ（Read Only Memory）、作業領域としてのＲＡＭ（Random Access Memory）、補助記憶装置としてのＨＤＤ（Hard Disk Drive）等を有する。
【００２９】
本実施例の携帯端末３は、制御部２１が記憶部２３内のプログラムを実行することで、撮像制御部２５、特定情報取得部２７、装置情報取得部２９、表示制御部３１として動作する。また、制御部２１が記憶部２３のアプリケーションを操作表示部１７に表示させ、ユーザーＩＤ等の入力によりＡＲサーバー７にログインさせることができる。
【００３０】
撮像制御部２５は、撮像機能を実現し、撮像機構１５による画像形成装置５を撮像する。
【００３１】
特定情報取得部２７は、機器特定情報取得機能を実現し、撮像制御部２５で撮像している画像形成装置５を特定するための特定情報を取得する。特定情報は、携帯端末３の位置情報及び方向情報並びに画像形成装置５の位置情報及び識別情報としてのＩＰアドレスである。
【００３２】
携帯端末３の位置情報及び方向情報は、位置方向検出部１９から取得され、画像形成装置５の位置情報及びＩＰアドレスは、ＡＲサーバー７から取得される。画像形成装置５の位置情報及びＩＰアドレスの取得は、特定情報取得部２７が携帯端末３の位置情報及び方向情報をＡＲサーバー７に送信し、これに応じて携帯端末３の周囲に設置されている画像形成装置５の位置情報及びＩＰアドレスを受信することで行われる。取得した画像形成装置５の位置情報及びＩＰアドレス及び携帯端末３の位置情報及び方向情報からは、撮像している画像形成装置５を特定することができる。
【００３３】
装置情報取得部２９は、装置情報取得機能を実現し、特定情報に基づいて、撮像している画像形成装置５のユーザーに許されたステータス情報を取得する。ユーザーに許されたステータス情報は、ユーザーに利用が許された画像形成装置５のエラー状況や動作状況等の状態（ステータス）をユーザー認証に基づき示す情報である。
【００３４】
また、装置情報取得部２９は、画像形成装置５のユーザーに許された機能情報を装置情報としてステータス情報に代えて或いはステータス情報と共に取得してもよい。従って、装置情報は、画像形成装置５のステータス情報と機能情報との少なくとも一方である。
【００３５】
機能情報は、画像形成装置５の性能、設定に関する各種の機能に関する情報である。画像形成装置５のユーザーに許された機能情報には、「モノクロプリント」のみを許可する情報や「カラープリント」を含めて許可する情報等がある。
【００３６】
さらに、本実施例の装置情報取得部２９は、認証サーバー９でのユーザー認証に基づくユーザーに利用が許された画像形成装置５に関してステータス情報を取得する。したがって、或るユーザーによっては、全画像形成装置５の全情報となり、他のユーザーは、それぞれ異なる制限された範囲での情報となることがある。
【００３７】
表示制御部３１は、表示制御機能を実現し、取得したステータス情報を撮像している画像形成装置５と共に操作表示部１７の画面上に表示する。機能情報も装置情報として取得した場合は、ステータス情報と同様に、機能情報を画像形成装置５と共に操作表示部１７の画面上に表示する。
【００３８】
画像形成装置５は、例えばプリンター、コピー機、それらの複合機等であり、通信部３７、操作パネル部３９、スキャナー４１、印刷部４３、制御部４５、記憶部４７等を備えている。
【００３９】
通信部３７は、ＡＲサーバー７及び認証サーバー９との間で通信によるデータの送受信を行うインターフェイスである。画像形成装置５による各種情報の送受信は、通信部３７を介して行われる。
【００４０】
操作パネル部３９は、例えばキーボードやタッチパネル式の画面等を備え、画像形成装置５に対する操作入力や操作状況の表示等を行う。
【００４１】
スキャナー４１は、原稿を読み取って画像データを生成する。
【００４２】
印刷部４３は、スキャナー４１による画像データ又は通信部３７を介して入力された画像形成指示に基づいて用紙上に画像を形成するプリントエンジンである。
【００４３】
制御部４５は、ＣＰＵ等備える演算装置等を有し、記憶部４７は、ＲＯＭ、ＲＡＭ、ＨＤＤ等を有する。
【００４４】
本実施例の画像形成装置５は、制御部４５が記憶部４７内のプログラムを実行することで、ステータス情報送信制御部４９、機能情報処理部５０として動作する。
【００４５】
ステータス情報送信制御部４９は、ステータス情報送信制御機能を実現し、画像形成装置５（自機）から取得したステータス情報をＡＲサーバー７に送信して取得させる。
【００４６】
機能情報処理部５０は、認証サーバー９から取得した機能情報をＡＲサーバー７に送信して取得させる。
【００４７】
ＡＲサーバー７は、例えば情報処理装置によって構成され、通信部５１、制御部５３、及び記憶部５５を備える。
【００４８】
通信部５１は、携帯端末３を含む外部装置との間で通信によるデータの送受信を行うインターフェイスである。ＡＲサーバー７による各種情報の送受信は、通信部５１を介して行われる。
【００４９】
制御部５３は、各部を制御するＣＰＵ等の演算装置を有し、記憶部５５は、ＲＯＭ、ＲＡＭ、ＨＤＤ等を有する。
【００５０】
本実施例のＡＲサーバー７は、画像形成装置５の機器情報を記憶部５５内に記憶している。機器情報として、位置情報、ＩＰアドレス、ユーザー毎の機器利用権限情報が関連付けられて記憶されている。機器利用権限情報は、ユーザーがどの画像形成装置５を利用できるかの情報である。
【００５１】
制御部５３は、記憶部５５内のプログラムを実行することで、パネル画面作成部５２、機器情報処理部５７、ステータス処理部５８として動作する。
【００５２】
パネル画面作成部５２は、携帯端末３の操作表示部１７に表示して画像形成装置５の遠隔操作を行うための擬似操作パネルを作成するものである。
【００５３】
機器情報処理部５７は、機器情報処理機能を実現し、携帯端末３の特定情報取得部２７から位置情報及び方向情報を受信すると、携帯端末３の周囲に存在する画像形成装置５をユーザー認証に基づき特定し、特定された画像形成装置５の位置情報、ＩＰアドレス等のリストを機器情報として特定情報取得部２７に送信して取得させる。
【００５４】
ステータス処理部５８は、ステータス処理機能を実現し、ユーザー毎、画像形成装置５毎に認証されたステータス情報を装置情報取得部２９に送信して取得させる。なお、機能情報を携帯端末３に取得させる場合は、ステータス処理部５８がステータス情報と共にユーザー毎、画像形成装置５毎に認証された機能情報を装置情報取得部２９に送信すればよい。
【００５５】
認証サーバー９は、例えば情報処理装置によって構成され、通信部５９、制御部６１、及び記憶部６３を備える。
【００５６】
通信部５９は、画像形成装置５との間で通信によるデータの送受信を行うインターフェイスである。認証サーバー９による各種情報の送受信は、通信部５９を介して行われる。
【００５７】
制御部６１は、各部を制御するＣＰＵ等の演算装置を有し、記憶部５５は、ＲＯＭ、ＲＡＭ、ＨＤＤ等を有する。
【００５８】
本実施例の認証サーバー９は、ログインしたユーザーのユーザー情報等を記憶部６３内に記憶している。ユーザー情報等としては、ユーザー情報の他に、ユーザーに利用が許された画像形成装置５について許された機能情報が関連付けられている。制御部６１は、記憶部６３内のプログラムを実行することで、認証情報送信制御部６５として動作する。
【００５９】
認証情報送信制御部６５は、認証機器情報送信機能を実現し、機能情報等の認証情報を画像形成装置５に送信し、画像形成装置５が認証情報を取得する。
［ログイン処理］
図３は、機器管理システムによるログイン処理を示すフローチャートである。ログイン処理は、携帯端末３でプログラムを実行することで開始される。ログインの方法は、Ｗｅｂサービスなどによる認証許可サービス等によることができる。このログイン方法では、画像形成装置５が別室や入出できない部屋などにある場合でも、遠隔操作ができ、セキュリティ面も向上する。
【００６０】
ステップＳ１（なお、以下の説明では、ステップの文字は省略する。）では、「ログイン・位置情報送信」が行われる。すなわち、ユーザーが携帯端末３の操作表示部１７にアプリケーションを立ち上げ、ユーザーＩＤ、パスワードを入力してログインボタンを押下すると制御部２１は、ログイン情報をＡＲサーバー７に送信し、処理はＳ２に移行する。
【００６１】
同時に、携帯端末３の制御部２１は、必要に応じて、撮像制御部２５を起動して撮像部によりライブビュー映像を撮像し操作表示部１７に表示する。位置方向検出部１９は、自端末の位置を検出し、その位置情報をＡＲサーバー７に送信する。
【００６２】
Ｓ２では、「ログイン認証」が行われる。この処理では、ＡＲサーバー７がログイン認証情報に基づきログイン認証を行い、ＡＲサーバー７にログインする。このログインにより、ＡＲサーバー７は、予め記憶した画像形成装置の位置情報、ＩＰアドレス、および携帯端末３の位置情報を参照して、携帯端末３から特定の距離範囲に存在する画像形成装置５を抽出し、処理はＳ３に移行する。
【００６３】
抽出された画像形成装置５は、携帯端末３から特定の距離範囲に存在する画像形成装置５の内、機器利用権限情報に基づきログインユーザーに利用が許されたものに制限される。勿論、ユーザーによっては、全ての画像形成装置５の利用が許される。
【００６４】
Ｓ３では、「ユーザー認証」により、抽出された画像形成装置５毎にユーザー認証が行われる。ユーザー認証において、ＡＲサーバー７は、機器利用権限情報に基づいた画像形成装置５にログイン情報を送信する。このログイン情報により画像形成装置５へのログインが行われる。画像形成装置５は、認証サーバー９にユーザー情報を送信し、処理はＳ４に移行する。
【００６５】
Ｓ４では、「認証情報送信」の処理により、認証サーバー９の認証情報送信制御部６５は、ログインしたユーザーに利用が許された画像形成装置５についてユーザーに許された機能情報を認証情報として画像形成装置５に送信し、処理はＳ５に移行する。
【００６６】
Ｓ５では、「画像形成装置が機能情報等送信」により、画像形成装置５の機能情報処理部５０は、機能情報をＡＲサーバー７に送信する。さらに、画像形成装置５のステータス情報送信制御部４９は、ステータス情報をＡＲサーバー７に送信する。ＡＲサーバー７は、受信したステータス情報及び機能情報を記憶部５５に記憶する。
【００６７】
なお、ログアウトは、携帯端末３の画面上での操作や、タイマーの設定により、一定時間操作がなされない場合、或いは画像形成装置５から一定距離離れた場合とすることができる。
［機器管理処理］
図４は、機器管理システムによる機器管理処理を示すフローチャートである。機器管理処理は、携帯端末３でプログラムを実行することで開始される。
【００６８】
Ｓ２１では、「画像形成装置の撮像」が行われる。すなわち、携帯端末３を保持するユーザーは、携帯端末３の撮像機構１５の撮像範囲内に、設置場所に設置されている画像形成装置５を位置させる。これにより、携帯端末３の撮像部１５は、撮像機構１５により画像形成装置５を撮像し、処理はＳ２２へ移行する。既にログイン時にライブビュー映像が撮像されていれば、処理はＳ２２から始まる。
【００６９】
Ｓ２２では、「携帯端末の位置及び方向情報の取得」が行われる。この処理では、携帯端末３の特定情報取得部３３が、位置方向検出部１９から携帯端末３の位置情報及び方向情報を取得し、Ｓ２３に移行する。
【００７０】
Ｓ２３では、「画像形成装置の機器情報の取得」が行われる。この処理では、特定情報取得部２７が自端末の位置情報及び方向情報をＡＲサーバー７に送信する。ＡＲサーバー７では、機器情報送信処理部５７が受信した携帯端末３の位置情報及び方向情報からログイン処理によって得られた画像形成装置５のリストを取得し、取得された画像形成装置５の機器情報を携帯端末３の特定情報取得部２７に送信して取得させ、処理はＳ２４に移行する。
【００７１】
Ｓ２４では、「画像形成装置の特定」が行われる。すなわち、携帯端末３の特定情報取得部２７は、取得した携帯端末３の位置情報及び方向情報並びに周囲の画像形成装置５の機器情報中の位置情報及びＩＰアドレスから、撮像している画像形成装置５を識別して特定し、処理はＳ２５に移行する。撮像している画像形成装置５がログインユーザーにとって利用権限のないものであれば、操作表示部１７には表示されない。
【００７２】
ステップＳ２５では、「ステータス情報の取得」が行われる。この処理では、携帯端末３の装置情報取得部２９が、ＡＲサーバー７にアクセスし、特定された撮像中の画像形成装置５の機器情報中のＩＰアドレスに基づいて、認証されたステータス情報を取得し、処理はＳ２６に移行する。
【００７３】
Ｓ２６では、「ステータス情報の表示」が行われる。この処理では、携帯端末３の表示制御部３１が、ユーザーに許されたステータス情報を、撮像している画像形成装置５と共に操作表示部１７の画面上に表示し、処理を終了する。
【００７４】
図５に機器管理システムの携帯端末上での画面例を示す。
【００７５】
図５では、フロア等に設置された三つの画像形成装置に対してステータス情報等が表示されている。
【００７６】
このようにユーザーは、携帯端末３で撮像された画像形成装置５のステータス情報、ＩＰアドレス、及び性能情報を直感的且つ容易に確認することが可能となる。且つユーザー毎に異なった制限された範囲での表示を可能とする。
【００７７】
次に、携帯端末３の操作表示部１７の画面上に表示する擬似操作パネルについて説明する。
【００７８】
携帯端末３の操作表示部１７の画面上で画像形成装置５を遠隔操作する場合は、携帯端末３の操作表示部１７に擬似操作パネルを表示させる。擬似操作パネルは、携帯端末３の制御部２１がＡＲサーバー７にアクセスすることで、ＡＲサーバー７のパネル画面作成部５２がユーザーに許された機能情報に基づき擬似パネル画面を作成し、携帯端末３に送信する。
【００７９】
携帯端末３は、取得した擬似操作パネルを操作表示部１７に画面表示する。
【００８０】
画面表示は、ログインユーザーに許された機能に関する操作パネルとなっており、画面構成がフレキシブルなものとなる。一般に、画像形成装置の操作パネル画面を変更するには、プログラムのアップロードを必要とするのに対し、簡易にユーザー毎にフレキシブルな操作パネル画面を実現することができる。
【００８１】
以上、ユーザーが携帯端末３からＡＲサーバー７にログイン（例えばユーザーであるサービスマンがＭＦＰが設置されている作業場所に到着した時点でログイン）し、ログイン画面上でユーザーＩＤ及びパスワードを入力する。
【００８２】
この入力によりＡＲサーバー７が画像形成装置５に対する認証を指示する。
【００８３】
画像形成装置５が認証サーバー７からユーザー毎の機能情報としての認証情報を取得し、ユーザーの機能利用権限情報に応じた画像形成装置５の機能の利用を可能にするため、画像形成装置５からＡＲサーバー７にユーザーの機能利用権限をステータス制限情報と共に渡す。
【００８４】
ＡＲサーバー７から利用権限に合わせた情報を携帯端末３に送り、操作表示部１７の画像上で表示したり、疑似操作パネルを表示する。
【００８５】
ＡＲサーバー７が疑似操作パネル等の画面を構成し、利用権限に合わせて編集して携帯端末３へ送ることになる。
［実施例の効果］
本実施例の携帯端末３は、設置場所に設置されている画像形成装置５を撮像する撮像制御部２５と、撮像している画像形成装置５を特定するための特定情報をＡＲサーバー７から取得する特定情報取得部２７と、特定情報に基づいて撮像している画像形成装置５から第２サーバー９でのユーザー認証に基づく装置情報としてステータス情報及びユーザーに許された機能情報を取得する装置情報取得部２９と、ステータス情報やユーザーに許された機能情報を撮像している画像形成装置５と共に操作表示部１７の画面上に表示する操作制御部３１とを備えている。
【００８６】
具体的には、本実施例の携帯端末３は、ＡＲサーバー７との接続を確立してログインを行い、認証サーバー９での認証によりユーザーに利用が許された画像形成装置５のステータス情報を取得することができる。
【００８７】
従って、本実施例では、携帯端末３上で画像形成装置５を撮像してステータス情報や機能情報を表示する際に、ユーザーに利用が許された画像形成装置５に対してステータス情報やや機能情報を表示させることができ、他のユーザーには、その内容を見ることができないようにすることができる。
【実施例２】
【００８８】
図６は、実施例２に係り、機器管理システムの概略外観図である。なお、基本的な構成は、実施例１と同様であり、同一構成部分には、同符号を付し、重複した説明は省略する。
【００８９】
図６のように、本実施例２の機器管理システム１は、携帯端末３によるログインを経たユーザー認証に加えて非接触ＩＣカードを用いたユーザー認証を採用した。
【００９０】
すなわち、前記同様に、ユーザーがＡＲサーバー７にログインすると、画像形成装置５にログインしようとしていることが通知される。
【００９１】
実際に撮像しようとする画像形成装置５の認識部に非接触ＩＣカードをかざすと、ユーザー情報が読み取られ、ログインが完了し、上記同様の作用効果を奏することができる。
【００９２】
非接触ＩＣカードによる認証を一度行うと、対象とする画像形成装置５から離れても、再度戻ることで撮像によるステータス情報や機能情報の表示を可能とし、利便性が向上する。離れている間は、認証ユーザーに関する情報の閲覧が不能になるといった制限を掛けることができる。
【符号の説明】
【００９３】
１  機器管理システム
３  携帯端末（機器管理端末）
５  画像形成装置（電子機器）
７  ＡＲサーバー（第１サーバー）
９  認証サーバー（第２サーバー）
２５  撮像部
２７  特定情報取得部
２９  装置情報取得部
３１  表示部
３３  対象設定部
【図２】
2015014912.tif 000003
【図１】
2015014912.tif 000004
【図３】
2015014912.tif 000005
【図４】
2015014912.tif 000006
【図５】
2015014912.tif 000007
【図６】
2015014912.tif 000008